(57)【要約】      （修正有）【課題】液体の排出及び中断を迅速にかつ容易に行うことができる液体容器を提供する。【解決手段】排出量制御が可能な液体容器１００は、液体を収容する密閉された桶の形象のボディー１１０と、前記ボディー１１０に形成されると共に液体Ｌが供給され、キャップ１１５によって開閉される開閉口１１３と、前記ボディー１１０に連通され、外側方向に突出されて液体Ｌが排出される排出管１２０と、液体Ｌの排出を調整する制御部１４０を備え、前記排出管１２０の断面は四角形で、前記排出管１２０の内側上面１２３にヒンジ連結されて排出管１２０の内部を閉塞するように形成された上部板１３５があり、前記制御部１４０はボディー１１０を貫く空気管１４１を有し、前記空気管１４１が閉塞及び開放が可能になるように構成し、液体Ｌの排出を迅速に中断する。【選択図】図３
2012001279.tif 000002
【特許請求の範囲】
【請求項１】
内部が空洞であり液体を収容するボディーと、
前記ボディーに形成されると共に液体が供給され、キャップによって開閉される開閉口と、
前記ボディーの内部と連通され、外側方向に突出されて液体が排出される排出管と、
前記ボディーに設けられて液体の排出を調整する制御部とを備え、
前記排出管の断面が四角形であり、前記排出管は、前記排出管の内側上面にヒンジ連結されて排出管の内部を閉塞するように構成された上部板を有し、
前記制御部は、前記ボディーの内部と連通する空気管を有し、
前記空気管が閉塞及び開放が可能になるように構成された
ことを特徴とする液体容器。
【請求項２】
前記制御部を構成するために、
前記空気管は前記ボディーの上部から外部に突出するように構成され、
前記制御部は、前記空気管の上端にヒンジ連結されて回転しながら前記空気管を開閉するカバーを有し、
前記カバーと前記空気管の間にトーションバネが介在されてカバーは常に開かれている状態になるように構成され、
前記制御部は、前記カバーと前記空気管とのヒンジ連結部の後方に配置されると共に、前記カバーの上面より高い位置に上端が位置するように前記ボディーに固定されたロッドを有し、
前記ロッドの上端にフランジが形成され、
前記制御部は、前記フランジを収容しながら前記カバーの方に移動するキャップを有する
ことを特徴とする請求項１に記載の液体容器。
【請求項３】
前記排出管の内側下面に、下部板が、前記上部板に対応して回転するように取付けられた
ことを特徴とする請求項１または請求項２に記載の液体容器。
【請求項４】
前記空気管の内側の下部縦端部は下方に向けて細くなるように形成され、
前記制御部は、前記カバーの下面に一端が付着されて前記空気管の内側で延長されたワイヤーを有し、
前記ワイヤーの他端に、前記空気管の下部縦端部を閉塞する栓が付着された
ことを特徴とする請求項２に記載の液体容器。
【発明の詳細な説明】
【技術分野】
【０００１】
本発明は液体容器に関する。詳しくは、例えば、液体の排出を速かに中断するように構成することとして、適正量の液体を容易に供給することができる液体容器に係るものである。
【背景技術】
【０００２】
以下、添付される図面を参酌して従来技術の説明を行う。
図１は従来の技術による液体容器を表した断面図、図２は従来の技術による液体容器を傾けて液体を排出する例を表した断面図として共に説明する。
【０００３】
一般的に水や油などの液体（Ｌ）を収容する液体容器（１）は次のように構成される。
液体（Ｌ）を収容する桶であるボディー（１０）が構成され、前記ボディー（１０）の上部に形成されて液体（Ｌ）が注入される開閉口（２０）が形成され、前記開閉口（２０）は栓（３０）によって開閉されるように構成される。
【０００４】
更に、前記ボディー（１０）の上部には液体（Ｌ）が排出される排出口（４０）が形成される。前記排出口（４０）には、他の容器への液体注入が容易になるようにホース（５０）が連結されることもできる。
【０００５】
次に、前記従来技術の使用例及び適用例を説明する。
前記栓（３０）を開け、開閉口（２０）に液体（Ｌ）を注ぎ入れてボディー（１０）に液体（Ｌ）が収容されるようにする。そして、前記栓（３０）を閉じた後、液体（Ｌ）を保管する。
以降、液体（Ｌ）が必要になる場合、前記栓（３０）を開けて開閉口（２０）が開放されるようにする。
【０００６】
そして、図２のように、ボディー（１０）を傾けて前記排出口（４０）で液体（Ｌ）が排出されるようにする。その結果、液体（Ｌ）が排出されるほど, 前記ボディー（１０）内部には空の空間が形成され、前記開閉口（２０）を通じて空の空間は空気で満たされながら液体（Ｌ）が排出される。
【０００７】
一般的にこのような液体容器（１）で液体が排出されるためには、前記開閉口（２０）が必要で、前記開閉口（２０）を通じて流入される空気の量ほど、液体が流出される。
【０００８】
もし、前記開閉口（２０）がなければ、前記排出口（４０）で空気が流入されながら、液体（Ｌ）が排出される現象が発生するようになって、このために液体（Ｌ）は連続的に排出されるのではなく、不規則的に四方で弾けながら排出と中断を繰り返す不連続的な排出現象が発生する。
【０００９】
また、例えば特許文献１には、容器本体に同一高さ付近に設けられた第１凹部と第２凹部とから構成されるグリップ部分を有するボトル容器が記載されており、このような構成のボトル容器は、注出計量操作において滑りがなく把持性が良好であり、内容物を注ぎ易いという効果を奏する。
【先行技術文献】
【特許文献】
【００１０】
【特許文献１】日本国実用新案登録第３１３４７９０号公報
【発明の概要】
【発明が解決しようとする課題】
【００１１】
前記従来技術によれば、図２のようにボディーを傾けて液体が排出されるようにしてから、液体の排出を止める場合、前記ボディーを傾けた状態から逆方向に回転して垂直方向に立てるようにする。この時、前記ボディーが逆方向に回転する間も、液体の排出は継続している。
【００１２】
したがって、定量を排出させにくいという問題点があった。一例として複数の容器が用意され、前記容器に適正量の液体を分けて満たす場合、前記のようにボディーを逆方向に回転させる時にも液体の排出が止まらないから、底面に液体が流出されるだけでなく、適正量を調整しにくいという問題点があった。
【００１３】
更に、ホースを前記排出口に連結して３ｍ以上の遠距離に液体を輸送する場合、前記ホースによってボディーを傾けた状態から逆方向に回転することが容易ではなく、逆方向に回転しても前記ホースに満たされた液体はそのまま排出されるから適正量を調整して排出させることができないという問題点があった。
【００１４】
本発明は、以上の点に鑑みて創案されたものであり、液体の排出及び中断を迅速にかつ容易に行うことができる液体容器を提供することを目的とする。
【課題を解決するための手段】
【００１５】
本発明による液体容器は、内部が空洞であり液体を収容するボディーと、前記ボディーに形成されると共に液体が供給され、キャップによって開閉される開閉口と、前記ボディーの内部と連通され、外側方向に突出されて液体が排出される排出管と、前記ボディーに設けられて液体の排出を調整する制御部とを備え、前記排出管の断面が四角形であり、前記排出管は、前記排出管の内側上面にヒンジ連結されて排出管の内部を閉塞するように構成された上部板を有し、前記制御部は、前記ボディーの内部と連通する空気管を有し、前記空気管が閉塞及び開放が可能になるように構成されたことを特徴とする。
【００１６】
また、本発明の液体容器において、前記制御部を構成するために、前記空気管は前記ボディーの上部から外部に突出するように構成され、前記制御部は、前記空気管の上端にヒンジ連結されて回転しながら前記空気管を開閉するカバーを有し、前記カバーと前記空気管の間にトーションバネが介在されてカバーは常に開かれている状態になるように構成され、前記制御部は、前記カバーと前記空気管とのヒンジ連結部の後方に配置されると共に、前記カバーの上面より高い位置に上端が位置するように前記ボディーに固定されたロッドを有し、前記ロッドの上端にフランジが形成され、前記制御部は、前記フランジを収容しながら前記カバーの方に移動するキャップを有するものとすることができる。
【００１７】
更に、本発明の液体容器において、前記排出管の内側下面に、下部板が、前記上部板に対応して回転するように取付けられるものとすることができる。
【００１８】
また、本発明の液体容器において、前記空気管の内側の下部縦端部は下方に向けて細くなるように形成され、前記制御部は、前記カバーの下面に一端が付着されて前記空気管の内側で延長されたワイヤーを有し、前記ワイヤーの他端に、前記空気管の下部縦端部を閉塞する栓が付着されたものとすることができる。
【発明の効果】
【００１９】
本発明による液体容器は、本発明を回転させて排出管が下方を向くようにした状態で、制御部さえ調整すれば液体の排出及び中断を迅速にかつ容易に行うことができるから、適正量の液体を排出させることができるだけではなく、遠距離にも液体を輸送することができる効果がある。
【図面の簡単な説明】
【００２０】
【図１】従来の技術による液体容器を表した断面図である。
【図２】従来の技術による液体容器を傾けて液体を排出する例を表した断面図である。
【図３】本発明の技術による排出量制御が可能な液体容器を表した断面図である。
【図４】図３のＡ部を表した拡大図である。
【図５】図４のＣ−Ｃ'線に沿って切断したことを表した断面図である。
【図６】本発明の技術による排出量制御が可能な液体容器を、傾けて液体を排出する例を表した断面図である。
【図７】図６のＢ部を表した拡大図である。
【図８】本発明の技術による排出量制御が可能な液体容器として制御部の閉塞作動によって液体の排出が止めた状態を表した断面図である。
【図９】本発明の技術による排出量制御が可能な液体容器を覆した状態で液体の排出を止めた状態を表した断面図である。
【発明を実施するための形態】
【００２１】
以下、本発明を実施するための形態について図面を参酌しながら説明を行う。
図３は本発明の技術による排出量制御が可能な液体容器を表した断面図、図４は図３のＡ部を表した拡大図、図５は図４のＣ−Ｃ'線に沿って切断したことを表した断面図、図６は本発明の技術による排出量制御が可能な液体容器を、傾けて液体を排出する例を表した断面図、図7は図６のＢ部を表した拡大図、図８は本発明の技術による排出量制御が可能な液体容器として制御部の閉塞作動によって液体の排出が止めた状態を表した断面図、図９は本発明の技術による排出量制御が可能な液体容器を覆した状態で液体の排出を止めた状態を表した断面図として共に説明する。
【００２２】
本発明は液体(L)を収容した状態で排出の時、迅速に排出を止めることができるように構成したことを特徴とする。
【００２３】
すなわち、本発明は次のように構成される。
本発明の液体容器（１００）は、液体（Ｌ）を収容する密閉された桶の形象のボディー（１１０）と、前記ボディー（１１０）に形成されると共に液体（Ｌ）が供給され、キャップ（１１５）によって開閉される開閉口（１１３）を備える。
【００２４】
更に、本発明の液体容器（１００）は、前記ボディー（１１０）の内部と連通され、外側方向に突出されて、液体（Ｌ）が排出される排出管（１２０）を備える。そして、本発明の液体容器（１００）は、前記ボディー（１１０）に設けられて液体（Ｌ）の排出を調整する制御部（１４０）を備える。
【００２５】
前記制御部（１４０）は、ボディー（１１０）を貫通する空気管（１４１）を有し、前記空気管（１４１）は閉塞及び開放が可能になるように構成される。前記空気管（１４１）の開閉可否によって液体（Ｌ）の排出可否が調整されるように構成される。
【００２６】
前記構成のさらに詳細な実試例を見れば次のようである。
前記排出管（１２０）の断面は四角形に形成され、前記排出管（１２０）の内部には逆止の弁（１３０）が設けられる。
【００２７】
前記逆止の弁（１３０）は、排出管（１２０）の内側上面（１２３）にヒンジ連結して回転しながら排出管（１２０）の内部を開閉するように構成された上部板（１３５）を有する。
【００２８】
更に、逆止の弁（１３０）は、前記排出管（１２０）の内側面の下部に、前記上部板（１３５）に対応するようにヒンジ連結して回転して排出管（１２０）を開閉するように構成された下部板（１３７）を有する。
【００２９】
前記上部板（１３５）及び下部板（１３７）は、どちらも液体の排出方向に延長されて形成され、四角形に形成されて排出管（１２０）の内部を閉塞できる。
【００３０】
更に、前記上部板（１３５）の長さは、重力によって下方に回転された時、図３のように、縦端部（１３６）が排出管（１２０）の内側下面（１２５）に触れたり、前記下部板（１３７）に触れたりするような長さであり、前記下部板（１３７）の長さもまたボディー（１１０）を覆した時、縦端部（１３８）が排出管（１２０）の内側上面（１２３）に触れたり、前記上部板（１３５）に触れたりするような長さである。
【００３１】
更に、前記上部板（１３５）と下部板（１３７）がヒンジ連結されるために、前記排出管（１２０）の内側上面（１２３）及び内側下面（１２５）に蝶番を付けた後、前記蝶番に上部板（１３５）と下部板（１３７）を付ける。しかし、前記蝶番による構成に限定されるものではなく、前記上部板（１３５）と下部板（１３７）が回転するように構成されるのであれば皆本発明の権利に含まれることは勿論である。
【００３２】
更に、前記排出管（１２０）の出口（１２７）が細くなるように形成することで前記出口（１２７）への空気の流入が最大限制限されるようになる。
【００３３】
前記制御部（１４０）の空気管（１４１）は、ボディー（１１０）の上部でボディー（１１０）の内部に連通しており、外部に突出するように構成される。そして、前記空気管（１４１）の上端には、ヒンジ連結されて回転しながら空気管（１４１）を開閉するカバー（１４２）が取付けられる。
【００３４】
前記カバー（１４２）と空気管（１４１）の間にはトーションバネ（１４４）が介在して、カバー（１４２）はいつも開かれている状態になるように構成される。
【００３５】
前記空気管（１４１）とカバー（１４２）がヒンジ連結される一例を見れば、図４のように、前記空気管（１４１）とカバー（１４２）の間に蝶番（Ｈ）が介在する。この場合も蝶番（Ｈ）による回転に限定されないことは勿論である。
【００３６】
前記トーションバネ（１４４）が介在する一例を見れば、前記空気管（１４１）を貫通するピン（１４３）があり、前記ピン（１４３）にトーションバネ（１４４）が挟まれた後、前記トーションバネ（１４４）の一方の縦端は空気管（１４１）の内側に位置し、他方の縦端はカバー（１４２）の下面に取付けられる。
【００３７】
更に、前記カバー（１４２）が空気管（１４１）の上端を閉めている状態を維持しながら、必要な場合は、開放もできるように、前記空気管（１４１）の側方に、空気管（１４１）ときちんと並んで、前記ボディー（１１０）に固定されるロッド（１４５）が存在する。
【００３８】
更に、前記ロッド（１４５）は、前記カバー（１４２）と空気管（１４１）とのヒンジ連結部位の後方に配置される。更に、前記ロッド（１４５）の上端は、カバー（１４２）の上面よりも高い位置にある。
【００３９】
すなわち、図４のように、前記カバー（１４２）がトーションバネ（１４４）によって外側方向（上方）に付勢された状態の時、前記カバー（１４２）のうちトーションバネ（１４４）が取付けられた側にロッド（１４５）が配置される。そして前記ロッド（１４５）の上端にはフランジ（１４６）が形成され、前記フランジ（１４６）を収容しながらカバー（１４２）の方に移動するキャップ（１４７）が設けられる。
【００４０】
したがって、キャップ（１４７）をカバー（１４２）の方に押せば、カバー（１４２）が下方に回転しながら空気管（１４１）の上端を閉めるようになる。そして、キャップ（１４７）を後方（カバーから離れる方向）へ引けば、トーションバネ（１４４）の膨脹によってカバー（１４２）が回転して立つことになって、空気管（１４１）が開放される。
【００４１】
前記ロッド（１４５）の上端がカバー（１４２）の上面より高い位置にあるので、キャップ（１４７）を押した時に、カバー（１４２）を押し倒すことができるようになる。
【００４２】
更に、前記キャップ（１４７）は図５のように、ブロック（Ｂ）を有し、前記ブロック（Ｂ）の下方には、前記ロッド（１４５）が挿入されると共にブロック（Ｂ）の移動方向に長く形成されたスロット（Ｓ）があり、前記スロット（Ｓ）の上端には側面方向に向けて前記フランジ（１４６）が挟まれる挿入溝（Ｋ）が形成される。
【００４３】
前記挿入溝（Ｋ）もブロック（Ｂ）の移動方向に長く形成されることは勿論である。その結果、前記キャップ（１４７）は、フランジ（１４６）が挿入溝（Ｋ）に掛かって離脱が防止されながら、直線運動が可能になる。
【００４４】
更に、前記空気管（１４１）でボディー（１１０）の内側に位置する下部縦端部（Ｍ）は、下方に向けて細くなるように形成され、前記カバー（１４２）の下面にはワイヤー（１４８）が付着されており、ワイヤー（１４８）は空気管（１４１）の内側に延長されており、前記ワイヤー（１４８）のうちカバー（１４２）に付着されない方の縦端部には、前記空気管（１４１）の下部縦端部（Ｍ）を閉塞する栓（１４９）が付着されている。
【００４５】
その結果、前記カバー（１４２）が開けばワイヤー（１４８）が上へ移動するので、栓（１４９）が空気管（１４１）の下部縦端部（Ｍ）を開けることになり、反対にカバー（１４２）を閉めることになれば、ワイヤー（１４８）が降りながら栓（１４９）が空気管（１４１）の下部縦端部（Ｍ）をふさぐことになる。
【００４６】
この時、前記下部縦断部（Ｍ）は下方に向けて細くなるように形成されるから、栓（１４９）が容易に前記下部縦断部をふさぐことになることは勿論である。
【００４７】
次に、前記構成による本発明の作動例を説明する。
先ず、前記キャップ（１４７）を押してカバー（１４２）が空気管（１４１）をふさぐようにする。そして、前記開閉口（１１３）に液体（Ｌ）を注いでボディー（１１０）に液体が収容されるようにした後、前記開閉口（１１３）を閉塞する。
【００４８】
このようにして液体（Ｌ）を保管してから、外部に液体（Ｌ）を供給する必要がある時は前記キャップ(147)を後方へ引く。すると、前記カバー（１４２）がトーションバネ（１４４）の膨張力によって外側方向に回転し、ワイヤー（１４８）に掛かってある栓（１４９）が上がりながら前記空気管（１４１）は開放される。そして、前記空気管（１４１）を通じて外部の空気が前記ボディー（１１０）の内部に流入される。
【００４９】
この状態で図６のように、前記ボディー（１１０）を回転させて排出管（１２０）が下方を向くようにすれば、液体（Ｌ）は上部板（１３５）を開けながら排出される。この時、排出を中断したい場合は、前記ボディー（１１０）を回転させず、前記キャップ（１４７）を押して前記空気管（１４１）が閉塞されるようにすれば、ボディー（１１０）の内部への空気の流入が中断される。
【００５０】
そして、前記排出管（１２０）を通じても逆方向で空気がボディー（１１０）の内部に流入される現象が防止される。その理由は図６のように、前記上部板（１３５）は排出される液体（Ｌ）の高さ（Ｈ）の分だけ回転されるから、空気が液体（Ｌ）と排出管（１２０）の間に流入される現象が防止される。
【００５１】
すなわち、前記液体（Ｌ）と排出管（１２０）の間に上部板（１３５）が介在するから、排出管（１２０）への空気の流入が防止される。前記の作動で、またたく間に液体（Ｌ）の排出が中断される。
【００５２】
このような現象の発生する理由は、前記ボディー（１１０）の内部に空気が流入して、流入した空気の体積ほど液体（Ｌ）が排出されるところ、空気の流入が遮られることで液体（Ｌ）の流出が止まるようになるからである。
【００５３】
このような例はストローを水に入れた後、一端を塞いで持ち上げればストローの内部に水が収容された状態を維持することから知ることができる。この状態で前記ストローを塞いでいる状態を解除することになれば、水は当然下方に流れ落ちる。もし、前記上部板（１３５）が存在しなければ、前記排出管（１２０）の出口（１２７）で空気が流入されて排出管（１２０）の内部の液体（Ｌ）が排出されるという問題が発生することになる。
【００５４】
更に、前記空気管（１４１）を遮断することになれば、ボディー（１１０）の内部の空気圧が外部の大気圧より小さいから、大気圧が排出管（１２０）の入口で逆方向に作用することになって、前記上部板（１３５）は排出管（１２０）の内側で閉まる方向に回転するようになる。したがって、このような作用が、より速かに液体（Ｌ）の排出を中断する助けになる。
【００５５】
更に、前記出口（１２７）が細くなるから前記出口（１２７）で空気が流入される現象を最大限、遮断することができることは勿論である。
【００５６】
更に、前記栓（１４９）が空気管（１４１）の下部縦端部（Ｍ）を、近距離で閉塞するから、空気管（１４１）の内部の空気がボディー（１１０）の内部に流入する現象を防止でき、前記空気管（１４１）の内部の空気の分だけ液体（Ｌ）が排出される現象を防止することができる。
【００５７】
更に、前記カバー（１４２）と栓（１４９）によって空気管（１４１）を二重に閉塞するから二重で空気の流入を遮断することができる利点がある。
【００５８】
更に、前記ボディー（１１０）を覆して液体（Ｌ）を排出する時には、前記下部板（１３７）が上部板（１３５）と等しい機能をすることになる。
【００５９】
前記構成による本発明によれば、液体（Ｌ）の排出をまたたく間に中断することができる利点があるから、適正量の液体（Ｌ）を排出させることができるだけでなく、前記ボディー（１１０）を回転させて排出管（１２０）が下方を向けるようにした状態で前記制御部（１４０）のみ調整すれば、液体（Ｌ）の排出及び中断を迅速にかつ容易にできる。
【００６０】
すなわち、液体（Ｌ）の排出と中断のために敢えて重いボディー（１１０）を正逆方向で繰り返して回転させる必要がない。
そして、本発明によれば遠距離にも液体を輸送することができる利点がある。一例で３ｍ以上のホースを前記排出管（１２０）の出口（１２７）に連結した後、前記ボディー（１１０）を回転させて排出管（１２０）が下方を向くようにすれば、液体（Ｌ）が前記ホースに案内されて遠距離まで排出される。この時、適切量になった時、前記制御部（１４０）だけ前記記載した内容で調整すれば速かに排出を中断することができる。
【符号の説明】
【００６１】
１００:液体容器
１１０:ボディー
１１３:開閉口
１１５:キャップ
１２０:排出管
１２７:出口
１３０:逆止の弁
１３５:上部板
１３７:下部板
１４０:制御部
１４１:空気管
１４２:カバー
１４３:ピン
１４４:トーションバネ
１４５:ロッド
１４６:フランジ
１４７:キャップ
１４８:ワイヤー
１４９:栓
【図１】
2012001279.tif 000003
【図２】
2012001279.tif 000004
【図３】
2012001279.tif 000005
【図４】
2012001279.tif 000006
【図５】
2012001279.tif 000007
【図６】
2012001279.tif 000008
【図７】
2012001279.tif 000009
【図８】
2012001279.tif 000010
【図９】
2012001279.tif 000011
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
内部が空洞であり液体を収容するボディーと、
前記ボディーに形成されると共に液体が供給され、キャップによって開閉される開閉口と、
前記ボディーの内部と連通され、外側方向に突出されて液体が排出される排出管と、
前記ボディーに設けられて液体の排出を調整する制御部とを備え、
前記排出管の断面が四角形であり、前記排出管は、前記排出管の内側上面にヒンジ連結されて排出管の内部を閉塞するように構成された上部板を有し、
前記制御部は、前記ボディーの内部と連通する空気管を有し、
前記空気管が閉塞及び開放が可能になるように構成され、
前記排出管の内側下面に、下部板が、前記上部板に対応して回転するように取付けられ、
前記排出管は曲げられており、
前記排出管の曲がった部分を挟んで前後に、それぞれ一対の前記上部板と前記下部板が取付けられた
ことを特徴とする液体容器。
【請求項２】
前記制御部を構成するために、
前記空気管は前記ボディーの上部から外部に突出するように構成され、
前記制御部は、前記空気管の上端にヒンジ連結されて回転しながら前記空気管を開閉するカバーを有し、
前記カバーと前記空気管の間にトーションバネが介在されてカバーは常に開かれている状態になるように構成され、
前記制御部は、前記カバーと前記空気管とのヒンジ連結部の後方に配置されると共に、前記カバーの上面より高い位置に上端が位置するように前記ボディーに固定されたロッドを有し、
前記ロッドの上端にフランジが形成され、
前記制御部は、前記フランジを収容しながら前記カバーの方に移動するキャップを有する
ことを特徴とする請求項１に記載の液体容器。
【請求項３】
前記空気管の内側の下部縦端部は下方に向けて細くなるように形成され、
前記制御部は、前記カバーの下面に一端が付着されて前記空気管の内側で延長されたワイヤーを有し、
前記ワイヤーの他端に、前記空気管の下部縦端部を閉塞する栓が付着された
ことを特徴とする請求項２に記載の液体容器。